(57)【要約】【課題】  黒曜石から安価で強力マイナスイオンを発生できる作成開発により、又、コンパクトに無数に穴を開けた、セラミックス板の開発やイオンボールによって多く製品に取り付け使用が容易にでき浄水器には最適な開発である。マイナスイオンが多い事により身体健康効果・自然治癒力の増進・細胞や血液の浄化作用・抵抗力の増進作用・自立神経の調整作用・交換神経活性作用・皮膚病・肌の美白効果・細胞の活性化増進・等に役立つ浄水器の開発である。【解決手段】  長野県和田峠産黒曜石イオンボールの開発により発生するマイナスイオン測定、１ボール（Φ１０ｍｍ）当たり２７００個１ＣＣ（株式会社佐藤商事  型式ＣＯＭ−３０１０ＰＲＯ使用）の測定機の結果マイナスイオンが発生する。浄水器に上記の強力マイナスイオンボールを使用した所、２０秒間で８０００個以上のマイナスイオンが測定できた。【特許請求の範囲】
【請求項１】
黒曜石とリンサンエン鉱物を微粉砕混合特殊加工を行った、強力マイナスイオン発生イオンセラミックスポールの開発により、人体に良いコンパクトで類の無い強力マイナスイオン及び、遠赤外線を発生させて、黒曜石及び、トルマリン鉱石（イオン発生生成材）を持ちえた浄水器装置の開発である。
【請求項２】
黒曜石とリンサンエン鉱物を微粉粉砕に加工して、無数の穴を開けた板状又はボールに加工した物を８００度〜９００度に焼きセラミックス加工する事により画期的な強力マイナスイオン発生が出来た。
【請求項３】
今回開発した黒曜石イオンボールから出るマイナスイオンは１ボール（Φ１０ｍｍ）当り２７００個１ＣＣ（株式会社佐藤商事形式ＣＯＭ−３０１０ＰＲＯ使用）の測定が出ています。
断面図１図（４）ボールのところを上記の（株）佐藤商事会社の測定機で８０００個ＩＣＣ以上のマイナスイオンが発生する又、半永久使用ができる画期的な開発である。
【請求項４】
荻原大出願人０００１１２３３０９出願日・平成１６年３月８日、出願番号・特願２００４−１１０５３２黒曜石とトルマリン鉱石を持ちえたマイナスイオン発生サウナ（岩盤浴）装置の開発から現在至る、イオン生成材（リンサンエン鉱物）の開発ができ、特願件数十数件以上有ります。多くの方々の強力で開発ができ又、今後も数多くの黒曜石とトルマリン鉱石及びリンサンエン鉱物を持ちえる、強力マイナスイオン発生装置開発を行います。
【発明の詳細な説明】
【技術分野】
【０００１】  本発明は家庭用・ホテル用に使用している水道水をトルマリン鉱石・黒曜石・にリンサンエン鉱物に特殊加工を行ったイオンボール又は（穴開きイオン板）を使用し、浄水器に搬入し、水道の水圧を応用した開発により、遠赤外線・電磁波等で抗菌作用が発生し、強力マイナスイオン水が生成し身体に良い浄水器装置の開発である。
【背景技術】
【０００２】  近年、トルマリン鉱石、黒曜石、ラジウム鉱石、麦飯石、北投石、等のマイナスイオン、遠赤外線を発生する物質（マイナスイオン、遠赤外線生成材）を用いる種々の装置が開発されているがイオン測定の結果身体に良いマイナスイオン発生率が小量である。
【発明の開示】
【発明が解決しようとする課題】
【０００３】  本発明はこのような従来の問題点に着目してなされたものであり、黒曜石とリンサンエン鉱物を微粉粉砕してセラミックスボール又は、無数の穴を開けたセラミックス板を作成した、その穴を水道水が通過する事で、（（株）佐藤商事形式マイナスイオン測定機の結果２０秒間に８０００個以上の画期的な強力マイナスイオンが出るセラミックス鉱石作成に成功したのです。
【課題を解決するための手段】
【０００４】  本発明により塩素の含まれた水道水、又人体に与える有害水等を自動的に強力マイナスイオン・遠赤外線・抗菌作用を発生させて身体に良い水に変える事が出来る装置を長年の研究と実験で実証が出来た。【０００５】  ２の水道水の圧力で４の強力マイナスイオンボールに圧力を加え、上記の（株）佐藤商事の測定機では、２０秒間８０００個１ＣＣ以上のマイナスイオンが発生します。５黒曜石６トルマリン鉱石に水圧が加わり又鉱石により浄化されて、１５に汚れ類が溜まる。又、８外周容器が透明ガラス製である事により汚れが判る１４の排水口から簡単に除去ができます。
７中間アミバイプは、断面図２Ｔ字型装置出し入れが簡単に出来る７アミパイプの役目が果たすのである。１１・１２の中間に１３強力マイナスイオンボール入れ９水道出口からマイナスイオン水として使用が出来る装置である。
浄水器の原理は大半同様であるが、今回の開発はフィルターが無用である事、又、中の鉱石類を簡単に取り外し、丸洗いができる事・１４の排水口から汚れの水を簡単に排出ができる事と又、半永久に使用ができる長所である。
長野県和田峠産黒曜石とリンサンエン鉱物を微粉砕し、（１２）特殊黒曜石セラミックスボール又は、無数の穴を開けたセラミックス板状から発生するマイナスイオンは、２０秒間で８０００個以上発生する事が（株）佐藤商事形式ＣＯＭ−３０１０ＰＲＯの測定の結果である。
【発明の効果】
【０００６】  トルマリン鉱石は人体に効能効果がある石として世間で数多くの色々な方法で使用されている鉱石である。特にトルマリン鉱石を飲料水に多く使用されている鉱石を健康生活用品に使用する事により身体全体の活性化ができる。【０００７】黒曜石は昔から健康水として黒曜石を色々な方法で加工されて使用している。
特許出願者荻原大が開発した数多くのサウナ関係及び岩盤浴関係に関して黒曜石を使用した事は、類の無い開発である。
【発明を実施するための最良の形態】
【０００８】  使用する黒曜石は産地として有名な長野県和田峠産であり、その成分含有率の一例を表１に示す。
【表１】
2008173619.tif 000002
【表２】
2008173619.tif 000003
【０００９】  マイナスイオンの効能効果は現代の人体に大変必要なイオンである。液体では水、人、動物、物など地球上の全ての物質は１０３個の原子の組み合わせによって成り立っている。人の場合、体を分離していくと胃や腸などの内臓や骨、皮膚などになり、それらをもっと小さくしていきますと細胞になる。
その細胞は原子から成り立っている、人は６５個の原子から成り立っていると言われています。真ん中に原子核があり、その外側に電子がある、原子核はプラスの電気、外側の電子はマイナス電気です。対に安定している状態が良いですが、何かしらのエネルギー（赤外線、電磁波、排気ガス、食物、ストレスなど）が加わると、マイナス電子が飛び出してしまいます。
この状態を不対電子（フリーラジカル）といい、酸化を引き起こしていく原因である。その人体にマイナス電子をプレゼントさせる、マイナスイオンは電子を持って行く粒子である。【００１０】  今回の浄水器はコンパクトでメンテナスが少なく、多量のマイナスイオンが飲料水に含まれて身体を自然治癒力の増進を高め又、活性化されます。
【符号の説明】
【００１２】１    固定上蓋。
２    水道水吸入口。
３    強力マイナスイオン発生納入籠。
４    強力マイナスイオン発生ボール。
５    黒曜石。
６    トルマリン鉱石。
７    円筒パッチング（穴開きパイプ）。
８    外周容器。
９    水道水出口。
１０  内側円筒パイプ。
１１  固定上網。
１２  固定下網。
１３  強力マイナスイオン発生ボール。
１４  排水キャップ。
１５  排水チンデン場所。
１６  中間円筒パイプ固定。
１７  中間円筒平面図。
１８  水道水噴出し口。
１９  Ｔ字型上、イオンボール収納籠  固定装置。
２０  Ｔ字型上、イオンボール収納籠  固定装置。
【図面の簡単な説明】
【００１３】
【図１】全体断面図
【図２】中に入るＴ字型断面図
【図３】上蓋を外した中の平面図
【図１】
2008173619.tif 000004
【図２】
2008173619.tif 000005
【図３】
2008173619.tif 000006